(57)【要約】  スタンドアロンのインターネット・オブ・シングス（ＩｏＴ）デバイスとして機能するためのハードウェアおよびソフトウェアの機能を有する「スマート」シェービングカミソリに対応付けられたマイク／スピーカを介して入力された交換用シェービングカートリッジ（複数可）の購入またはそれに関連する情報に関する音声作動式コマンドまたはクエリのためのシステムおよび方法を提供する。コマンドまたはクエリは、インターネットに接続されたインターネットゲートウェイを介して、インターネットに接続されたベンダープラットフォームに送信される。交換用シェービングカートリッジ（複数可）の購入またはそれに関連する情報に関するコマンドまたはクエリに応答するベンダープラットフォームからの応答送信は、制御ユニットによって処理される。マイク／スピーカは、ベンダープラットフォームからの応答送信に対応する自然言語音声出力を出力する。【選択図】図６ｂ
2021523761.tif 000002
【特許請求の範囲】
【請求項１】
コマンドおよびクエリのうちの少なくとも１つを処理するように構成されたシェービングシステムであって、
カミソリハンドルと、
前記カミソリハンドルの上または中に設けられ、かつシェービングカートリッジの購入およびシェービングカートリッジの情報のうちの少なくとも１つに関連するコマンドおよびクエリのうちの少なくとも１つに関するユーザからの自然言語音声入力を受け付けるように構成されたマイクと、
前記シェービングカートリッジの購入およびシェービングカートリッジの情報のうちの少なくとも１つに関連する前記コマンドおよび前記クエリのうちの前記少なくとも１つを処理するように構成された制御ユニットと、
前記カミソリハンドルの上または中に設けられ、かつ（ｉ）前記シェービングカートリッジの購入およびシェービングカートリッジの情報のうちの少なくとも１つに関連する前記コマンドおよび前記クエリのうちの前記少なくとも１つを、インターネットに接続されたベンダープラットフォームに送信し、（ｉｉ）前記シェービングカートリッジの購入およびシェービングカートリッジの情報のうちの少なくとも１つに関連する前記コマンドおよび前記クエリのうちの前記少なくとも１つに応答して、前記ベンダープラットフォームから応答送信を受信するように構成された、トランシーバおよびインターフェースのうちの少なくとも１つであって、前記制御ユニットは、前記応答送信を処理するように構成されている、トランシーバおよびインターフェースのうちの少なくとも１つと、
前記ベンダープラットフォームからの前記応答送信に対応する自然言語音声出力を出力するように構成されたスピーカと、を備える、シェービングシステム。
【請求項２】
前記シェービングシステムは、インターネットプロトコル（ＩＰ）対応システムであり、前記トランシーバおよび前記インターフェースのうちの前記少なくとも１つは、インターネットに接続されたインターネットゲートウェイと直接インターフェース接続して、前記コマンドおよび前記クエリのうちの前記少なくとも１つを前記ベンダープラットフォームに送信するように構成されている、請求項１に記載のシステム。
【請求項３】
カミソリカートリッジと、
電気検知技術、光学検知技術、および電気化学検知技術のうちの少なくとも１つを実装して、ブレードの摩耗のレベルを示す前記カミソリカートリッジの前記ブレードの物理的特性および電気化学的特性のうちの少なくとも１つを検出するように構成された検知ユニットと、をさらに備え、
前記制御ユニットは、前記ブレードの前記物理的特性および電気化学的特性のうちの前記少なくとも１つを基準しきい値パラメータと比較し、前記比較に基づいて前記ブレードの摩耗のレベルを判定するように構成されている、請求項１に記載のシステム。
【請求項４】
（ｉ）前記判定されたブレード摩耗のレベルに関する情報を出力するように構成された光表示ユニット、（ｉｉ）前記判定されたブレード摩耗のレベルに関する情報を出力するように構成された聴覚表示ユニット、および（ｉｉｉ）前記判定されたブレード摩耗のレベルに関する情報を出力するように構成された触覚表示ユニット、のうちの少なくとも１つを備える通知ユニットをさらに備え、前記通知ユニットは、前記カミソリカートリッジを交換するための表示を提供するように構成されている、請求項１に記載のシステム。
【請求項５】
前記トランシーバおよび前記インターフェースのうちの前記少なくとも１つは、前記コマンドおよび前記クエリのうちの前記少なくとも１つを、インターネットプロトコル（ＩＰ）対応モバイルデバイスおよびインターネットプロトコル（ＩＰ）対応コンピュータのうちの少なくとも１つに送信するように構成されており、前記モバイルデバイスおよび前記コンピュータのうちの前記少なくとも１つは、インターネットに接続されたインターネットゲートウェイとインターフェース接続して、前記コマンドおよび前記クエリのうちの前記少なくとも１つを、前記ベンダープラットフォームに送信する、請求項１に記載のシステム。
【請求項６】
前記スピーカは、前記カミソリハンドルの上または中に設けられている、請求項１に記載のシステム。
【請求項７】
前記制御ユニットおよび前記スピーカは、前記カミソリハンドルの上または中に設けられている、請求項１に記載のシステム。
【請求項８】
ユーザからの前記自然言語音声入力は、多言語音声入力である、請求項１に記載のシステム。
【請求項９】
前記応答送信に対応する前記自然言語音声出力は、多言語音声出力である、請求項１に記載のシステム。
【請求項１０】
シェービングシステムを使用してコマンドおよびクエリのうちの少なくとも１つを処理する方法であって、
前記シェービングシステムのカミソリハンドルの上または中に設けられたマイクを介して、シェービングカートリッジの購入およびシェービングカートリッジの情報のうちの少なくとも１つに関連するコマンドおよびクエリのうちの少なくとも１つに関するユーザからの自然言語音声入力を入力することと、
制御ユニットによって、前記シェービングカートリッジの購入およびシェービングカートリッジの情報のうちの少なくとも１つに関連する前記コマンドおよび前記クエリのうちの前記少なくとも１つを処理することと、
トランシーバおよびインターフェースのうちの少なくとも１つによって、前記シェービングカートリッジの購入およびシェービングカートリッジの情報のうちの少なくとも１つに関連する前記コマンドおよび前記クエリのうちの前記少なくとも１つを、インターネットに接続されたベンダープラットフォームに送信することと、
前記トランシーバおよび前記インターフェースのうちの少なくとも１つによって、前記シェービングカートリッジの購入およびシェービングカートリッジの情報のうちの少なくとも１つに関連する前記コマンドおよび前記クエリのうちの前記少なくとも１つに応答して、前記ベンダープラットフォームからの応答送信を受信することと、
前記制御ユニットによって、前記応答送信を処理することと、
スピーカによって、前記ベンダープラットフォームからの前記応答送信に対応する自然言語音声出力を出力することと、を含む、方法。
【請求項１１】
前記シェービングシステムは、インターネットプロトコル（ＩＰ）対応システムであり、前記トランシーバおよび前記インターフェースのうちの前記少なくとも１つは、インターネットに接続されたインターネットゲートウェイと直接インターフェース接続して、前記コマンドおよび前記クエリのうちの前記少なくとも１つを前記ベンダープラットフォームに送信する、請求項１０に記載の方法。
【請求項１２】
前記トランシーバおよび前記インターフェースのうちの前記少なくとも１つは、前記コマンドおよび前記クエリのうちの前記少なくとも１つを、インターネットプロトコル（ＩＰ）対応モバイルデバイスおよびインターネットプロトコル（ＩＰ）対応コンピュータのうちの少なくとも１つに送信し、前記モバイルデバイスおよび前記コンピュータのうちの前記少なくとも１つは、インターネットに接続されたインターネットゲートウェイとインターフェース接続して、前記コマンドおよび前記クエリのうちの前記少なくとも１つを、前記ベンダープラットフォームに送信する、請求項１０に記載の方法。
【請求項１３】
ユーザからの前記自然言語音声入力は、多言語音声入力である、請求項１０に記載の方法。
【請求項１４】
前記応答送信に対応する前記自然言語音声出力は、多言語音声出力である、請求項１０に記載の方法。
【発明の詳細な説明】
【技術分野】
【０００１】
関連出願の相互参照
本出願は、２０１８年５月２１日に出願された「ＳＹＳＴＥＭ  ＡＮＤ  ＭＥＴＨＯＤ  ＦＯＲ  ＰＲＯＶＩＤＩＮＧ  Ａ  ＶＯＩＣＥ−ＡＣＴＩＶＡＴＥＤ  ＯＲＤＥＲＩＮＧ  ＯＦ  ＲＥＰＬＡＣＥＭＥＮＴ  ＳＨＡＶＩＮＧ  ＣＡＲＴＲＩＤＧＥ」というタイトルの米国仮特許出願第６２／６７４，１０５号の米国特許法第１１９条（ｅ）に基づく利益を主張するものであり、これは、参照により本明細書に組み込まれる。
【０００２】
本開示は、１つ以上のブレードを伴う交換可能なカートリッジを有するシェービングカミソリに関する。より具体的には、本開示は、シェービングカミソリを介して交換用シェービングカートリッジ（複数可）の音声作動式注文を提供するためのシステムおよび方法に関する。
【背景技術】
【０００３】
シェービングカミソリのユーザは、カートリッジのブレードが鈍くなると、シェービングカートリッジまたはシェービングカミソリのブレードを交換するという問題に直面する。シェービングカートリッジを交換するために、ユーザは、例えば、実際に店舗で買うか、ベンダーに電話をかけるか、またはモバイルデバイス（例えば、携帯電話またはタブレット）もしくはコンピュータを使用して交換用カートリッジをオンライン注文することができるが、通常、ユーザがシェービングを終えてバスルームを出て、その後シェービングカートリッジを交換することを思い出し、さらに交換品を注文するために特定のタイプのカミソリに関する情報を思い出すまで、ユーザはこれらすべての行動を待つ必要がある。電話またはオンラインで注文を行う場合、ユーザはまた、電話、モバイルデバイス、および／またはコンピュータに物理的にアクセスする必要もある。しかしながら、よくあることであるが、ユーザはシェービングを終えると、シェービングカートリッジを交換する必要性を忘れがちである。したがって、（ｉ）シェービング中にユーザがバスルームを離れる必要がなく、および／または（ｉｉ）余計な通信デバイス、例えば、電話、モバイルデバイス、および／またはコンピュータに物理的にアクセスする必要がない、交換用カートリッジを注文するためのシステムおよび方法が必要である。
【発明の概要】
【０００４】
本開示は、シェービングカミソリを介して交換用シェービングカートリッジ（複数可）の音声作動式注文を提供するためのシステムおよび方法を提供する。
【０００５】
本開示はまた、シェービングカミソリに対応付けられたマイクを介して交換用シェービングカートリッジ（複数可）の音声作動式注文を提供するためのシステムおよび方法を提供する。
【０００６】
本開示はさらに、交換用シェービングカートリッジ（複数可）の注文を所望する特定のユーザに適した特定のタイプのシェービングカートリッジに関する音声作動式クエリを実施するシステムおよび方法を提供し、この音声作動式クエリは、シェービングカミソリに対応付けられたマイクを介して実施される。
【０００７】
本開示はさらに、スタンドアロンのインターネット・オブ・シングス（ＩｏＴ）デバイスとして機能するためのマイク（および／またはスピーカ）およびハードウェア／ソフトウェア機能をともなう「スマート」カミソリを実施するためのシステムおよび方法を提供する。
【０００８】
本開示はさらに、「スマート」カミソリが、外部の「スマート」デバイスに物理的にアクセスおよび／または依拠する必要なしに、交換用シェービングカートリッジ（複数可）を注文するためのユーザの音声コマンドを実施することができるシステムおよび方法を提供する。
【０００９】
本開示はさらに、「スマート」カミソリが、ユーザの音声クエリ／コマンドに応答して、特定のユーザの身体的特徴およびシェービング習慣に適したシェービングカートリッジのタイプに関する支援を提供できるシステムおよび方法を提供する。
【００１０】
本開示はさらに、「スマート」カミソリおよび／またはリンクされたデバイスが、特定のユーザの身体的特徴（例えば、毛髪および肌の特徴）、過去のシェービングカートリッジ情報、および／またはシェービング習慣にアクセスし、ならびに／またはそれらを累積的に収集し、保存し、および／もしくは分析して、特定のユーザの身体的特徴、過去のシェービングカートリッジ情報、およびシェービング習慣に適したシェービングカートリッジのタイプに関して特定のユーザを支援できるシステムおよび方法を提供する。
【図面の簡単な説明】
【００１１】
【図１】シェービングカートリッジの一例の斜視図である。
【図２】シェービングカートリッジの上面図である。
【図３】図２のＡ−Ａ線に沿ったシェービングカートリッジの断面図である。
【図４】ハンドルとシェービングカートリッジとを有するカミソリの斜視図である。
【図５】ハンドルとシェービングカートリッジとを有するカミソリの別の斜視図である。
【図６ａ】本開示の実施形態による、カミソリの各種電気／電子部品および外部通信インフラストラクチャ、ならびにカミソリと外部通信インフラストラクチャとの間の通信経路を示す概略図である。
【図６ｂ】本開示の別の実施形態による、カミソリの各種電気／電子部品、ならびにカミソリ、外部デバイス、および外部通信インフラストラクチャ間の通信経路を示す概略図である。
【図７】例示的な実施形態による方法の論理フローチャートである。
【図８】別の例示的な実施形態による方法の論理フローチャートである。
【図９】さらに別の例示的な実施形態による方法の論理フローチャートである。
【図１０】本明細書の実施形態によるコンピュータ可読記憶媒体である。
【図１１】本明細書の１つ以上の論理フローを実装するための通信デバイスの実施形態である。
【図１２】本開示のシステムの実施形態である。
【００１２】
２つ以上の図面に共通の構成要素または機能は、図面の各々で同じ参照番号で示している。
【発明を実施するための形態】
【００１３】
図面、特に図１を参照すると、シェービングカートリッジが示されており、全体として参照番号１００で表されている。シェービングカートリッジ１００は、ブレード１１７をシェービングカートリッジ１００に固定するための保持具２００を含む。シェービングカートリッジ１００はまた、前縁１０１、後縁１０３、一対の側縁１０５、１０７、上面１０９、および底面１１１を有するハウジングを有する。一対の側縁１０５、１０７は、ハウジングの前縁１０１とハウジングの後縁１０３との間に延在する。シェービングカートリッジ１００は、ハウジングの前縁１０１に隣接するガードバー１１３と、ハウジングの後縁１０３に隣接するキャップ１１５とを含む。キャップ１１５の表面に、潤滑ストリップ１１６を設けることができる。１つ以上のブレード１１７は、ガードバー１１３とキャップ１１５との間に位置付けられ、かつ１つ以上の保持要素（複数可）、例えば、ハウジング内に位置付けられた一対の保持具２００を使用してハウジング内の定位置に保持されている。図１に示すシェービングカートリッジ１００は、一対の保持具２００を使用してハウジング内の定位置に保持された５つのブレード１１７を含むが、任意の数のブレードを使用することができ、任意の数および／またはタイプの保持要素（複数可）、例えば１つ以上の保持クリップを適切な場所（複数可）に設けて、ブレード（複数可）を定位置に保持することができる。さらに、潤滑ストリップ１１６は、例ではキャップ１１５上に設けられているように示されているが、潤滑ストリップは、カートリッジの他の任意の領域、例えば、ガードバー１１３上および／または保持具（複数可）２００上に設けることができる。
【００１４】
図２および図３を参照すると、保持具２００は、離間され、かつハウジングの対向する側に位置付けられている。保持具２００は、ハウジングの側縁１０５および１０７に沿って延在し、かつハウジング内のブレード１１７の位置を保持するために、ハウジングの上面１０９の上および１つ以上のブレード１１７の上に延在する上部２０１を含む。保持具２００は、ブレード１１７を適所に保持し、水や石鹸の泡などの、シェービング条件に耐える任意の材料で作ることができる。保持具２００は、好ましくは金属で作られる。保持具２００は、ブレード１１７と物理的に接触するので、保持具２００と１つ以上のブレードとは、電気経路を形成することができる。
【００１５】
本実施形態では、保持具２００は、例えば、約８．５ｍｍの側縁１０５および１０７の長さＬに沿って延在する。しかしながら、保持具２００は、側縁１０５および１０７のより短いまたはより長い部分に沿って延在することができることを理解されたい。例えば、一対の保持具２００は各々、側縁１０５および１０７の全長、より短い部分、またはより長い部分に沿って延在することができる。そのような延長部は、例えば、ガードバー、キャップ要素、またはトリマーアセンブリを適所に固定することができる。加えて、上記のように、任意の数の保持具２００をシェービングカートリッジ１００と共に使用することができる。例えば、単一の保持具２００または４つの保持具２００を使用して、ハウジング内のブレード１１７の位置を保持することができる。
【００１６】
図４および図５は、ハンドル１９９およびカートリッジ１００を有するカミソリ１の例を示す。この例示的な実施形態では、潤滑剤、化粧品および／または他の材料を選択的に生成するように設計された「スマート」ポリマー１１５０をカートリッジ上に設けることができる。「スマート」ポリマーは、少なくとも１つの環境刺激にさらされたときに特定の方法で反応するように設計された人工材料である。環境刺激には、温度、ｐＨ、湿度／水分、酸化還元、重量、電気刺激、化学刺激、光（波長および／または強度）、電場／磁場、および／または電気化学的刺激が含まれ得る。スマートポリマー１１５０の位置は、図１および図２に示すキャップ１１５の表面に実質的に対応する。さらに、図６ａおよび図６ｂに示すように、本開示の各種態様を実装するために、カミソリの中または上に様々な部品（電気および／または電子部品を含む）および回路を設けることができる。
【００１７】
図６ａは、本開示の実施形態による、（ｉ）カートリッジ１００、ハンドル１９９、およびスマートポリマース細片１１５０を有するカミソリ１の電気および／または電子部品（図６ａの左側に図示）、（ｉｉ）外部通信インフラストラクチャ６２００の電子部品（図６ａの右側に図示）、ならびに（ｉｉｉ）カミソリ１と外部通信インフラストラクチャ６２００との間の各種接続および通信経路、の様々な例を示す。
【００１８】
図６ａに示すカミソリ１は、電気的および／または通信可能に接続された以下の例示的な部品：ブレード摩耗センサ６００１、ブレード摩耗センサ６００１に加えて設けることができる画像センサ６００２、双方向マイク／スピーカ６１１５、視覚（例えば、光）、触覚、および／または音声による通知を生成するように構成することができる通知ユニット６００３ａ、コントローラ、処理ユニット、および／またはメモリを含むように構成することができる制御ユニット６００４、ローカル電源６００５（例えば、バッテリー）、外部電源接続および／または外部データ接続のためのインターフェースとして構成することができるインターフェースユニット６００６ａ、無線通信用のトランシーバユニット６００７ａ、ならびにアンテナ１５１８ａ、を含む。代替の実施形態では、マイクおよびスピーカを別々に設けることができる。ユニット６００６ａおよび６００７ａとの接続に使用できるいくつかの通信技術は、携帯電話、衛星、ＷｉＦｉ、Ｂｌｕｅｔｏｏｔｈ、低電力広域ネットワーク（ＬＰＷＡＮ）、またはイーサネット経由でインターネットに直接接続することを含む。利用可能ないくつかのデータ転送プロトコルは、例えば、ハイパーテキスト転送プロトコル（ＨＴＴＰ）、メッセージキューイングテレメトリトランスポート（ＭＱＴＴ）、および制約付きアプリケーションプロトコル（ＣｏＡＰ）を含み、これらの例に限定されない。
【００１９】
ブレード摩耗センサ６００１は、ブレード（複数可）１１７のブレード摩耗のレベルに関する測定パラメータを検出するように構成されている。ブレード摩耗センサ６００１は、例えば、電気検知技術、光学検知技術、および／または電気化学検知技術のうちの１つ以上を使用して、ブレード摩耗のレベルを示すブレード（複数可）１１７の物理的および／または電気化学的特性を検出することができる。例えば、ブレード摩耗のレベルは、１つ以上のブレード（複数可）１１７に塗布されたコーティングの消耗のレベルに基づいて決定することができ、消耗のレベルは、ひいては、１つ以上のブレード（複数可）１１７の電気的特性および／または電気化学的特性に影響を与える。この例は、限定的なものとして解釈されるべきではない。加えて、または代替的に、画像センサ６００２から出力された測定パラメータ（例えば、ブレード摩耗を示す光学的または視覚的パラメータ）を使用して、ブレード（複数可）１１７のブレード摩耗のレベルを判定することができる。ブレード摩耗センサ６００１および／または画像センサ６００２からの出力情報を基準しきい値パラメータレベルと照合して、ブレード摩耗のレベルを判定することができる。
【００２０】
例示的な実施形態では、制御ユニット６００４は、ブレード摩耗センサ６００１および／または画像センサ６００２から出力された情報を受信および処理して、ブレード１１７の摩耗のレベルに関する、例えば、ブレード１１７は、カートリッジ１００の交換を必要とするほど十分に摩耗しているという表示を、（例えば、通知ユニット６００３ａを介して）出力する。通知ユニット６００３ａは、（ｉ）光表示（例えば、異なる色のＬＥＤライトを使用）、（ｉｉ）聴覚表示（例えば、異なる音響レベルおよび／またはパターンを使用）、および／または（ｉｉｉ）触覚表示（例えば、異なる触覚強度および／またはパターンを使用）のうちの少なくとも１つによって、ブレード１１７の摩耗のレベルの表示（ブレード１１７を含むカートリッジを交換する表示を含む）を提供することができる。あるいは、ユーザは、ブレード１１７がカートリッジ１００の交換を必要とするほど十分に摩耗していることを手動で判定することができる。
【００２１】
制御ユニット６００４はまた、（ｉ）双方向マイク／スピーカ６１１５から出力された情報を受信および処理し、（ｉｉ）双方向マイク／スピーカ６１１５を制御して、音声情報を出力することもできる。この場合、図６ａに示すように、マイク／スピーカ６１１５を介したユーザの自然言語音声入力コマンドが、例えば、自然言語処理（ＮＬＰ）を使用して制御ユニット６００４によって処理され、要求されたタスクおよび／またはコマンドが決定および／または実行される。代替として、ＮＬＰは、例えば、以下で論じられるＩｏＴクラウドネットワークおよび／またはＩｏＴプラットフォームにおいて、カミソリの外部に位置するプロセッサによって実行されてもよい。自然言語音声入力コマンドの例には、例えば、交換カートリッジ（複数可）の注文、交換用カートリッジの到着日の決定、交換カートリッジ（複数可）の価格の決定、および／またはどのカートリッジがこの個人ユーザにより適しているかのアドバイスが含まれる。入力コマンドに含まれる情報の特殊性のレベルに応じて、制御ユニット６００４は、（個別に、またはＩｏＴクラウドネットワークおよび／もしくはＩｏＴプラットフォームと組み合わせて）、マイク／スピーカ６１１５を介してユーザに音声クエリを提供して、要求されたタスクを実行するために必要な追加の具体的情報（例えば、カートリッジメーカー、モデルタイプ、数量、配送先住所、クーポンコードなど）を決定する。十分な情報が提供された場合、要求されたタスクを実行することができる。自然言語音声入力および／または出力は、多言語入力および／または出力とすることができる。
【００２２】
制御ユニット６００４は、判定されたブレード摩耗のレベル（または対応する残量／パーセンテージ）に関する情報を累積的に収集および／または保存して、ブレード摩耗率を分析および／または判定することができる。さらに、制御ユニット６００４は、特定の肌特性および／または毛髪特性に関するユーザから提供されたデータまたはデータベースからのデータと併せてブレード摩耗率を分析することができ、それにより個人ユーザのカミソリ使用のカスタマイズされた分析およびデータ収集が可能となる。ユーザデータは、カミソリ、クラウドデータベース、または外部デバイス（例えば、ＩｏＴ接続デバイス）に（部分的または全体的に）保存できる。
【００２３】
制御ユニット６００４、ブレード摩耗センサ６００１、画像センサ６００２、マイク／スピーカ６１１５から出力される情報、判定された摩耗のレベル（または対応する残りのブレード使用）に関する情報、および／またはマイク／スピーカ６１１５を介したユーザの自然言語音声入力コマンドに対応する情報は、カミソリ１から、（ｉ）トランシーバ６００７ａを介して無線で、または（ｉｉ）外部電源／データ接続用のインターフェースユニット６００６ａを経由した有線接続を介して、ＩｏＴゲートウェイ６０２０に送信することができる。図６ａに示す例示的な実施形態では、カミソリ１の回路は、それ自体でインターネットプロトコル（ＩＰ）対応のユニットとして構成することができ、カミソリ１からの、およびカミソリ１への情報の流れは、例えば、ＩｏＴゲートウェイ６０２０として機能するＷｉＦｉルーターを通してルーティングされる。あるいは、カミソリ１の回路は、それ自体でインターネットプロトコル（ＩＰ）非対応のユニットとして構成することができ、この場合、ＩｏＴゲートウェイは、インターネット／クラウドを介した通信に関連する機能、例えば、プロトコルの変換、暗号化、処理、データ管理などを実行する。他の通信技術は、携帯電話、衛星、Ｂｌｕｅｔｏｏｔｈ、低電力広域ネットワーク（ＬＰＷＡＮ）、またはイーサネット経由でインターネットに直接接続することを含み、これらの例に限定されない。情報は、クラウドネットワーク６０２１およびＩｏＴプラットフォーム６０２２を介して、ＩｏＴゲートウェイ６０２０からカートリッジベンダープラットフォーム６０２３にルーティングすることができる。図６ａでは、ＩｏＴプラットフォーム６０２２は、クラウドネットワーク６０２１とは別個に示されているが、クラウドネットワーク６０２１は、ＩｏＴプラットフォーム６０２２を包含してもよい。自然言語処理は、制御ユニット６００４、クラウドネットワーク６０２１、ＩｏＴプラットフォーム６０２２、および／またはカートリッジベンダープラットフォーム６０２３で実行することができる。本開示で使用される場合、「クラウドネットワーク」という用語は、インターネットおよび関連する接続インフラストラクチャを包含する。
【００２４】
例示的な実施形態では、ユーザデータは、カートリッジベンダープラットフォーム６０２３および／またはＩｏＴプラットフォーム６０２２に（部分的にまたは全体的に）格納することができる。カミソリ１から送信される情報の種類に応じて、カートリッジベンダープラットフォーム６０２３は、（ｉ）要求されたタスクを実行し（例えば、要求された交換用カートリッジの注文を実行する）、および／または（ｉｉ）情報クエリに関連する応答情報（例えば、個人ユーザのカミソリの使用、肌特性、毛髪特性、過去に好んだカミソリカートリッジモデル、および／または数量パッケージなどに関する情報）をカミソリ１に送信することができ、これらの応答情報は、マイク／スピーカ６１１５を介して自然言語音声出力として出力し、ユーザが交換用カートリッジを確定および／または選択するのを支援することができる。例えば、ユーザの音声コマンドが「いつものカートリッジを注文する」である場合、ユーザの注文履歴情報を検索して、例えば、「以前モデルＡのカートリッジを１０個注文したので、この注文を繰り返しますか？」と、ユーザに提示することができ、ユーザは注文を確定したり、別の情報で注文を変更したりできる。別の例では、ユーザの音声クエリが「自分の肌特性に最も適したシェービングカートリッジは何ですか」である場合、カートリッジベンダープラットフォーム（例えば、一般的な小売業者または特定のカートリッジメーカーのサーバプラットフォーム）からのユーザの肌特性情報および入手可能なカートリッジに関する適合性情報を参照して、要求された情報をユーザに提示し、ユーザが注文するカートリッジを選択するのを支援することができる。さらに、カートリッジベンダープラットフォーム６０２３での受注確認は、マイク／スピーカ６１１５を介して、自然言語音声出力、例えば、「ベンダーが注文を受け付けました」として提示できる。
【００２５】
図６ｂは、本開示の別の実施形態による、カミソリ１と外部通信インフラストラクチャ６２００との間の各種接続および通信経路を示す。図６ｂに示すように、カミソリ１からの、およびカミソリ１への情報の流れは、インターネットプロトコル（ＩＰ）対応の二次デバイス、例えば、モバイルデバイス６０４０またはコンピュータ６０３０を経由してルーティングされる。図６ｂに示す例示的な実施形態では、カミソリ１の回路は、それ自体でインターネットプロトコル（ＩＰ）対応である必要はないが、例示的な実施形態は、カミソリ１の回路がそれ自体でＩＰ対応であることを排除しない。代替の実施形態では、マイクおよびスピーカを別々に設けてもよい。
【００２６】
図６ｂに示す例示的な実施形態の１つの通信経路では、制御ユニット６００４、ブレード摩耗センサ６００１、画像センサ６００２、マイク／スピーカ６１１５から出力される情報、判定された摩耗のレベル（または対応する残りのブレード使用）に関する情報、および／またはマイク／スピーカ６１１５を介したユーザの自然言語音声入力コマンドに対応する情報は、カミソリ１から（例えば、ユーザがバスルームでカミソリ１を使用している間に）、モバイルデバイス６０４０に送信することができ、モバイルデバイスに、クライアント（複数可）（例えば、１つ以上のアプリケーションソフトウェアまたは「アプリ」）を設けて、図６ａに示すカミソリ１の回路構成要素によって実行される機能、例えば、インターネットを介した交換用カートリッジの注文、データ分析、および／または取得した情報の格納のいくつかまたはすべてを実行することができる。モバイルデバイス６０４０によって受信された情報は、ＩｏＴゲートウェイ６０２０、例えば、ＷｉＦｉルーターにルーティングし、その後、クラウドネットワーク６０２１およびＩｏＴプラットフォーム６０２２を介してカートリッジベンダープラットフォーム６０２３にルーティングすることができる。図６ａでは、ＩｏＴプラットフォーム６０２２は、クラウドネットワーク６０２１とは別個に示されているが、クラウドネットワーク６０２１は、ＩｏＴプラットフォーム６０２２を包含することができる。他の通信技術は、携帯電話、衛星、Ｂｌｕｅｔｏｏｔｈ、低電力広域ネットワーク（ＬＰＷＡＮ）、またはイーサネット経由でインターネットに直接接続することを含み、これらの例に限定されない。利用可能ないくつかのデータ転送プロトコルは、例えば、ハイパーテキスト転送プロトコル（ＨＴＴＰ）、メッセージキューイングテレメトリトランスポート（ＭＱＴＴ）、および制約付きアプリケーションプロトコル（ＣｏＡＰ）を含み、これらの例に限定されない。
【００２７】
図６ｂに示す例示的な実施形態の別の通信経路では、制御ユニット６００４、ブレード摩耗センサ６００１、画像センサ６００２、マイク／スピーカ６１１５から出力される情報、判定された摩耗のレベル（または対応する残りのブレード使用）に関する情報、および／またはマイク／スピーカ６１１５を介したユーザの自然言語音声入力コマンドに対応する情報は、カミソリ１から（例えば、ユーザがバスルームでカミソリ１を使用している間に）、コンピュータ６０３０に送信することができ、コンピュータに、クライアント（複数可）（例えば、１つ以上のアプリケーションソフトウェア）を設けて、図６ａに示すカミソリ１の回路構成要素によって実行される機能、例えば、インターネットを介した交換用カートリッジの注文、データ分析、および／または取得した情報の格納のいくつかまたはすべてを実行することができる。コンピュータ６０３０によって受信された情報は、ＩｏＴゲートウェイ６０２０、例えば、ＷｉＦｉルーターにルーティングして、その後、クラウドネットワーク６０２１およびＩｏＴプラットフォーム６０２２を介してカートリッジベンダープラットフォーム６０２３にルーティングすることができる。他の通信技術は、携帯電話、衛星、Ｂｌｕｅｔｏｏｔｈ、低電力広域ネットワーク（ＬＰＷＡＮ）、またはイーサネット経由でインターネットに直接接続することを含み、これらの例に限定されない。
【００２８】
図６ｂに示す例示的なシステムでは、情報および／または情報の処理は、カミソリ１、コンピュータ６０３０、モバイルデバイス６０４０、ＩｏＴゲートウェイ６０２０、クラウドネットワーク６０２１、ＩｏＴプラットフォーム６０２２、および／またはカートリッジベンダープラットフォーム６０２３のうちの２つ以上の間で共有することができる。例えば、自然言語処理は、制御ユニット６００４、コンピュータ６０３０、モバイルデバイス６０４０、クラウドネットワーク６０２１、ＩｏＴプラットフォーム６０２２、および／またはカートリッジベンダープラットフォーム６０２３で実行することができる。さらに、自然言語音声入力（例えば、交換用カートリッジの注文）および／または自然言語音声出力（例えば、カートリッジベンダープラットフォーム６０２３での受注確認、例えば、「ベンダーが注文を受け付けました」）は、マイク／スピーカ６１１５、コンピュータ６０３０、および／またはモバイルデバイス６０４０を介して実施することができる。自然言語音声入力および／または出力は、多言語入力および／または出力とすることができる。
【００２９】
図６ｂに示す例示的なシステムにおける分散機能の例として、ブレード摩耗センサ６００１からのセンサデータは、（例えば、ユーザがブレード摩耗センサ６００１が設けられたカートリッジを使用している間に）コンピュータ６０３０またはモバイルデバイス６０４０に送信することができ、ユーザの音声コマンドおよび／またはクエリは、コンピュータ６０３０またはモバイルデバイス６０４０のマイク／スピーカを介して入力することができる。さらに、ベンダープラットフォームからの応答送信は、コンピュータ６０３０またはモバイルデバイス６０４０のマイク／スピーカを介して出力することができる。図６ｂに示す例示的なシステムにおける分散機能の別の例として、ユーザの音声コマンドおよび／またはクエリは、（ユーザがマイク／スピーカ６１１５が設けられたカミソリ１を使用している間に）マイク／スピーカ６１１５を介して入力することができ、ベンダープラットフォーム６０２３からの応答送信は、コンピュータ６０３０またはモバイルデバイス６０４０を介して出力することができる。
【００３０】
図７は、一実施形態による、シェービングカートリッジの購入および／またはシェービングカートリッジの情報に関連するコマンドおよびクエリのうちの少なくとも１つを処理するための例示的な方法の論理フロー７００を示す。ブロック７００１で、マイク／スピーカ６１１５を介して受信されたユーザからの自然言語音声入力は、制御ユニット（例えば、カミソリ１の制御ユニット６００４）によって処理され、その自然言語音声入力は、シェービングカートリッジの購入および／またはシェービングカートリッジの情報に関連するコマンドおよびクエリのうちの少なくとも１つに関する。ブロック７００２で、シェービングカートリッジの購入および／またはシェービングカートリッジの情報に関連するコマンドおよびクエリのうちの少なくとも１つが、インターネットに接続されたインターネットゲートウェイ６０２０（例えば、ＷｉＦｉルーター）を介して、インターネットに接続されたベンダープラットフォーム６０２３に送信される。ブロック７００３で、シェービングカートリッジの購入および／またはシェービングカートリッジの情報に関連するコマンドおよびクエリのうちの少なくとも１つに応答するベンダープラットフォーム６０２３からの応答送信は、制御ユニットによって処理される。ブロック７００４で、マイク／スピーカ６１１５は、ベンダープラットフォーム６０２３からの応答送信に対応する自然言語音声出力を出力する。
【００３１】
図８は、一実施形態による、シェービングカートリッジの購入および／またはシェービングカートリッジの情報に関連するコマンドおよびクエリのうちの少なくとも１つを処理するための別の例示的な方法の論理フロー８００を示す。ブロック８００１において、通知ユニット（例えば、カミソリ１のユニット６００３ａ）は、感知ユニット（例えば、カミソリ１のユニット６００１）によって検出されたシェービングカートリッジの摩耗のレベルを出力する。ブロック８００２で、マイク／スピーカ６１１５を介して受信されたユーザからの自然言語音声入力は、制御ユニット（例えば、カミソリ１の制御ユニット６００４）によって処理され、その自然言語音声入力は、シェービングカートリッジの購入および／またはシェービングカートリッジの情報に関連するコマンドおよびクエリのうちの少なくとも１つに関する。ブロック８００３で、シェービングカートリッジの購入および／またはシェービングカートリッジの情報に関連するコマンドおよびクエリのうちの少なくとも１つが、インターネットに接続されたインターネットゲートウェイ６０２０（例えば、ＷｉＦｉルーター）を介して、インターネットに接続されたベンダープラットフォーム６０２３に送信される。ブロック８００４で、シェービングカートリッジの購入および／またはシェービングカートリッジの情報に関連するコマンドおよびクエリのうちの少なくとも１つに応答するベンダープラットフォーム６０２３からの応答送信は、制御ユニットによって処理される。ブロック８００５で、マイク／スピーカ６１１５は、ベンダープラットフォーム６０２３からの応答送信に対応する自然言語音声出力を出力する。
【００３２】
図９は、一実施形態による、シェービングカートリッジの購入および／またはシェービングカートリッジの情報に関連するコマンドおよびクエリのうちの少なくとも１つを処理するためのさらに別の例示的な方法の論理フロー９００を示す。ブロック９００１において、通知ユニット（例えば、カミソリ１のユニット６００３ａ）は、感知ユニット（例えば、カミソリ１のユニット６００１）によって検出されたシェービングカートリッジの摩耗のレベルを出力する。ブロック９００２で、マイク／スピーカを介して受信されたユーザからの自然言語音声入力は、スマートカミソリのトランシーバからモバイルデバイスまたはコンピュータのうちの１つに送信され、この自然言語音声入力は、シェービングカートリッジの購入および／またはシェービングカートリッジの情報に関連するコマンドおよびクエリのうちの少なくとも１つに関する。ブロック９００３で、モバイルデバイスまたはコンピュータのうちの１つは、ユーザからの自然言語音声入力を処理する。ブロック９００４で、モバイルデバイスまたはコンピュータのうちの１つは、シェービングカートリッジの購入および／またはシェービングカートリッジの情報に関連するコマンドおよびクエリのうちの少なくとも１つを、インターネットに接続されたインターネットゲートウェイを介して、インターネットに接続されたベンダープラットフォームに送信する。ブロック９００５で、モバイルデバイスまたはコンピュータのうちの１つは、シェービングカートリッジの購入および／またはシェービングカートリッジの情報に関連するコマンドおよびクエリのうちの少なくとも１つに応答するベンダープラットフォーム６０２３からの応答送信を処理する。ブロック９００６で、マイク／スピーカ６１１５は、ベンダープラットフォーム６０２３からの応答送信に対応する自然言語音声出力を出力する。
【００３３】
図７〜図９に示す例示的な技法７００、８００、および９００の一部は、修正することができ、ならびに／または部分的および／もしくは全体的に組み合わせることができることに留意されたい。
【００３４】
図１０は、製品を備え得る記憶媒体１１００の実施形態を示し、例えば、記憶媒体１１００は、任意の非一時的コンピュータ可読媒体または光学、磁気、もしくは半導体記憶装置などの機械可読媒体を含み得る。記憶媒体１１００は、各種のコンピュータ実行可能命令、例えば、１１２０を格納することができる。例えば、記憶媒体２０００は、技法７００、８００、および９００を実施するための各種のコンピュータ実行可能命令を格納することができる。さらに、そのような命令は、例えば、制御ユニット６００４、コンピュータ６０３０、および／またはモバイルデバイス６０４０によって実行されて、本明細書に記載の技法を実施することができる。
【００３５】
コンピュータ可読記憶媒体または機械可読記憶媒体のいくつかの例は、電子データを格納できる有形の媒体、例えば、揮発性メモリまたは不揮発性メモリ、取り外し可能または取り外し不能メモリ、消去可能または消去不能メモリ、書き込み可能または再書き込み可能なメモリなどを含み得る。コンピュータ実行可能命令のいくつかの例は、適切なタイプのコード、例えば、ソースコード、コンパイル済みコード、解釈済みコード、実行可能コード、静的コード、動的コード、オブジェクト指向コード、視覚コードなどを含み得る。その例は、この文脈において限定されない。
【００３６】
図１１は、１つ以上の実施形態による、論理フロー７００、論理フロー８００、および論理フロー９００のうちの１つ以上、記憶媒体１１００、コンピュータ６０３０、モバイルデバイス６０４０、ならびにカミソリ１の回路の１つ以上の機能を実装し得る通信デバイス１５００の実施形態を示す。例示的な実施形態では、通信デバイス１５００は、論理フロー７００、論理フロー８００、および論理フロー９００のうちの１つ以上について記載された動作を実行する物理回路を含み得る論理回路１５２８を備え得る。さらに、通信デバイス１５００は、無線インターフェース１５１０、ベースバンド回路１５２０、およびコンピューティングプラットフォーム１５３０を含み得る。しかしながら、実施形態は、この例示的な構成に限定されない。
【００３７】
通信デバイス１５００は、（ｉ）単一のコンピューティングエンティティ、例えば、単一のデバイスにおいて、または（ｉｉ）分散方式において、論理フロー７００、論理フロー８００、および論理フロー９００のうちの１つ以上、記憶媒体１１００、コンピュータ６０３０、モバイルデバイス６０４０、カミソリ１の回路の１つ以上の機能、ならびに論理回路１５２８の構造および／または動作の一部またはすべてを実装することができる。後者の場合、通信デバイス１５００は、論理フロー７００、論理フロー８００、および論理フロー９００のうちの１つ以上、記憶媒体１１００、コンピュータ６０３０、モバイルデバイス６０４０、カミソリ１の回路の１つ以上の機能、ならびに論理回路１５２８の構造および／または動作の一部を、分散型システムアーキテクチャ、例えば、マスタースレーブアーキテクチャ、クライアントサーバアーキテクチャ、ピアツーピアアーキテクチャ、共有データベースアーキテクチャなどを用いた複数のコンピューティングプラットフォームおよび／またはエンティティにわたって分散させることができる。本実施形態は、この文脈において限定されない。
【００３８】
例示的な実施形態では、無線インターフェース１５１０は、相補型符号変調（ＣＣＫ）、直交周波数分割多重（ＯＦＤＭ）、および／またはシングルキャリア周波数分割多元接続（ＳＣ−ＦＤＭＡ）シンボルなどのシングルキャリアまたはマルチキャリア変調信号を送信および／または受信するように適合された１つ以上の構成要素を含み得る。無線インターフェース１５１０は、例えば、受信機１５１１、周波数シンセサイザ１５１４、送信機１５１６、および１つ以上のアンテナ１５１８を含み得る。ただし、実施形態はこれらの例に限定されない。
【００３９】
無線インターフェース１５１０と通信して受信信号および／または送信信号を処理するベースバンド回路１５２０は、アナログーデジタル変換器、デジタルーアナログ変換器、および受信／送信信号の物理リンク層処理のためのベースバンドまたは物理層（ＰＨＹ）処理回路を備えるユニット１５２２を含み得る。ベースバンド回路１５２０はまた、例えば、インターフェース１５３４を介してコンピューティングプラットフォーム１５３０と通信するためのメモリコントローラ１５３２を含み得る。
【００４０】
デバイス１５００にコンピューティング機能を提供することができるコンピューティングプラットフォーム１５３０は、プロセッサ１５４０および他のプラットフォーム構成要素１７５０、例えば、プロセッサ、メモリユニット、チップセット、コントローラ、周辺機器、インターフェース、入力／出力（Ｉ／Ｏ）コンポーネント、電源などを含み得る。
【００４１】
デバイス１５００は、例えば、モバイルデバイス、スマートフォン、固定デバイス、マシン・ツー・マシンデバイス、携帯情報端末（ＰＤＡ）、モバイルコンピューティングデバイス、ユーザ機器、コンピュータ、ネットワーク機器、ウェブ機器、家電、プログラマブル家電、ゲーム機器、テレビ、デジタルテレビ、セットトップボックス、ワイヤレスアクセスポイント、基地局、加入者局、モバイル加入者センター、無線ネットワークコントローラ、ルーター、ハブ、ゲートウェイ、などであり得る。これらの例に限定されない。
【００４２】
図１２は、バス３１２およびチップセット９０４を介して互いに結合された、例えば、プロセッサ９０２、チップセット９０４、入力／出力（Ｉ／Ｏ）デバイス９０６、ランダムアクセスメモリ（ＲＡＭ）９０８、例えば、ダイナミックＲＡＭ（ＤＲＡＭ）、読み取り専用メモリ（ＲＯＭ）９１０、無線通信チップ９１６、グラフィックデバイス９１８、およびディスプレイ９２０、および他のプラットフォーム構成要素９１４（例えば、冷却システム、ヒートシンク、通気孔など）を含み得る、プラットフォーム１２００として構成された例示的なシステムの実施形態を示す。これらの例に限定されない。
【００４３】
本明細書に記載の技法は例示であり、本開示に対する特定の制限を示唆するものとして解釈されるべきではない。当業者は、様々な代替、組み合わせ、および修正を考案し得ることを理解されたい。例えば、本明細書に記載のプロセスに関連するステップは、ステップ自体による別段の指定または指示がない限り、任意の順序で実行することができる。本開示は、添付の特許請求の範囲に含まれるそのようなすべての代替、修正、および変形を包含することが意図されている。
【００４４】
「ｃｏｍｐｒｉｓｅ（備える）」または「ｃｏｍｐｒｉｓｉｎｇ（備える）」という用語は、記述された特徴、整数、ステップ、または構成要素の存在を指定すると解釈されるべきであるが、１つ以上の他の特徴、整数、ステップ、もしくは構成要素、またはそれらのグループの存在を排除するものではない。「ａ」および「ａｎ」という用語は不定冠詞であり、したがって、複数の冠詞を有する実施形態を排除するものではない。
【００４５】
一部の実施形態は、「一実施形態」または「実施形態」という表現をそれらの派生語と共に用いて説明することができる。これらの用語は、その実施形態に関連して記載されている特定の特長、構造、または特徴が、少なくとも１つの実施形態に含まれることを意味する。本明細書におけるさまざまな場所において、「実施形態」という語句の出現は、必ずしもすべてが同じ実施形態を指しているわけではない。
【００４６】
図面と上記の本文、ならびに以下の例から明らかなように、さまざまな実施形態が考えられる。
実施形態
１．コマンドおよびクエリのうちの少なくとも１つを処理するように構成されたシェービングシステムであって、
カミソリハンドル（１９９）と、
カミソリハンドルの上または中に設けられ、かつシェービングカートリッジの購入およびシェービングカートリッジの情報のうちの少なくとも１つに関連するコマンドおよびクエリのうちの少なくとも１つに関するユーザからの自然言語音声入力を受け付けるように構成されたマイク（６１１５）と、
シェービングカートリッジの購入およびシェービングカートリッジの情報のうちの少なくとも１つに関連するコマンドおよびクエリのうちの少なくとも１つを処理するように構成された制御ユニット（６００４）と、
カミソリハンドルの上または中に設けられ、かつ（ｉ）シェービングカートリッジの購入およびシェービングカートリッジの情報のうちの少なくとも１つに関連するコマンドおよびクエリのうちの少なくとも１つを、インターネットに接続されたベンダープラットフォーム（６０２３）に送信し、（ｉｉ）シェービングカートリッジの購入およびシェービングカートリッジの情報のうちの少なくとも１つに関連するコマンドおよびクエリのうちの少なくとも１つに応答して、ベンダープラットフォームから応答送信を受信するように構成された、トランシーバ（６００７ａ）およびインターフェースのうちの少なくとも１つであって、制御ユニットは、応答送信を処理するように構成されている、トランシーバおよびインターフェースのうちの少なくとも１つと、
ベンダープラットフォームからの応答送信に対応する自然言語音声出力を出力するように構成されたスピーカ（６１１５）と、を備える、シェービングシステム。
２．シェービングシステムは、インターネットプロトコル（ＩＰ）対応システムであり、トランシーバ（６００７ａ）およびインターフェース（６００６ａ）のうちの少なくとも１つは、インターネットに接続されたインターネットゲートウェイと直接インターフェース接続して、コマンドおよびクエリのうちの少なくとも１つをベンダープラットフォーム（６０２３）に送信するように構成されている、実施形態１によるシステム。
３．
カミソリカートリッジ（１００）と、
電気検知技術、光学検知技術、および電気化学検知技術のうちの少なくとも１つを実装して、ブレード（１１７）の摩耗のレベルを示すカミソリカートリッジのブレードの物理的特性および電気化学的特性のうちの少なくとも１つを検出するように構成された検知ユニット（６００１）と、をさらに備え、
制御ユニット（６００４）は、ブレードの物理的特性および電気化学的特性のうちの少なくとも１つを基準しきい値パラメータと比較し、比較に基づいてブレードの摩耗のレベルを判定するように構成されている、実施形態１または２によるシステム。
４．
（ｉ）判定されたブレード摩耗のレベルに関する情報を出力するように構成された光表示ユニット、（ｉｉ）判定されたブレード摩耗のレベルに関する情報を出力するように構成された聴覚表示ユニット、および（ｉｉｉ）判定されたブレード摩耗のレベルに関する情報を出力するように構成された触覚表示ユニット、のうちの少なくとも１つを備える通知ユニット（６００３ａ）をさらに備え、通知ユニットは、カミソリカートリッジ（１００）を交換するための表示を提供するように構成されている、実施形態３によるシステム。
５．トランシーバ（６００７ａ）およびインターフェース（６００６ａ）のうちの少なくとも１つは、コマンドおよびクエリのうちの少なくとも１つを、インターネットプロトコル（ＩＰ）対応モバイルデバイスおよびインターネットプロトコル（ＩＰ）対応コンピュータのうちの少なくとも１つに送信するように構成されており、モバイルデバイスおよびコンピュータのうちの少なくとも１つは、インターネットに接続されたインターネットゲートウェイとインターフェース接続して、コマンドおよびクエリのうちの少なくとも１つを、ベンダープラットフォームに送信する、実施形態１によるシステム。
６．スピーカ（６１１５）は、カミソリハンドル（１９９）の上または中に設けられている、実施形態１〜５のいずれか１つによるシステム。
７．制御ユニット（６００４）は、カミソリハンドル（１９９）の上または中に設けられている、実施形態１〜６のいずれか１つによるシステム。
８．ユーザからの自然言語音声入力は、多言語音声入力である、実施形態１〜７のいずれか１つによるシステム。
９．応答送信に対応する自然言語音声出力は、多言語音声出力である、実施形態１〜８のいずれか１つによるシステム。
１０．シェービングシステム（７００、８００、９００）を使用してコマンドおよびクエリのうちの少なくとも１つを処理する方法であって、
シェービングシステムのカミソリハンドル（１９９）の上または中に設けられたマイク（６１１５）を介して、シェービングカートリッジの購入およびシェービングカートリッジの情報のうちの少なくとも１つに関連するコマンドおよびクエリのうちの少なくとも１つに関するユーザからの自然言語音声入力を入力することと、
制御ユニット（６００４）によって、シェービングカートリッジの購入およびシェービングカートリッジの情報のうちの少なくとも１つに関連するコマンドおよびクエリのうちの少なくとも１つを処理することと、
トランシーバ（６００７ａ）およびインターフェースのうちの少なくとも１つによって、シェービングカートリッジの購入およびシェービングカートリッジの情報のうちの少なくとも１つに関連するコマンドおよびクエリのうちの少なくとも１つを、インターネットに接続されたベンダープラットフォーム（６０２３）に送信することと、
トランシーバおよびインターフェースの少なくとも１つによって、シェービングカートリッジの購入およびシェービングカートリッジの情報のうちの少なくとも１つに関連するコマンドおよびクエリのうちの少なくとも１つに応答して、ベンダープラットフォームからの応答送信を受信することと、
制御ユニットによって、応答送信を処理することと、
スピーカ（６１１５）によって、ベンダープラットフォームからの応答送信に対応する自然言語音声出力を出力することと、を含む方法。
１１．シェービングシステムは、インターネットプロトコル（ＩＰ）対応システムであり、トランシーバ（６００７ａ）およびインターフェースのうちの少なくとも１つは、インターネットに接続されたインターネットゲートウェイ（６０２０）と直接インターフェース接続して、コマンドおよびクエリのうちの少なくとも１つをベンダープラットフォームに送信する、実施形態１０による方法（７００、８００、９００）。
１２．トランシーバ（６００７ａ）およびインターフェースのうちの少なくとも１つは、コマンドおよびクエリのうちの少なくとも１つを、インターネットプロトコル（ＩＰ）対応モバイルデバイスおよびインターネットプロトコル（ＩＰ）対応コンピュータのうちの少なくとも１つに送信し、モバイルデバイスおよびコンピュータのうちの少なくとも１つは、インターネットに接続されたインターネットゲートウェイとインターフェース接続して、コマンドおよびクエリのうちの少なくとも１つを、ベンダープラットフォームに送信する、実施形態１０または１１による方法（９００）。
１３．ユーザからの自然言語音声入力は、多言語音声入力である、実施形態１０〜１２のいずれか１つによる方法。
１４．応答送信に対応する自然言語音声出力は、多言語音声出力である、実施形態１０〜１３のいずれか１つによる方法。
【図１】
2021523761.tif 000003
【図２】
2021523761.tif 000004
【図３】
2021523761.tif 000005
【図４】
2021523761.tif 000006
【図５】
2021523761.tif 000007
【図６ａ】
2021523761.tif 000008
【図６ｂ】
2021523761.tif 000009
【図７】
2021523761.tif 000010
【図８】
2021523761.tif 000011
【図９】
2021523761.tif 000012
【図１０】
2021523761.tif 000013
【図１１】
2021523761.tif 000014
【図１２】
2021523761.tif 000015
【国際調査報告】
2021523761.tif 000016
2021523761.tif 000017